【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
データ送信元及びデータ送信先となる通信局間で所定の送受信準備手順を経てデータ・パケットの送信が開始される無線通信システムであって、
前記データ送信元の通信局は、送受信準備手順のために送信する準備パケットのヘッダ部において、当該準備パケットに対して前記データ送信先の通信局から返信される第１の応答パケットの終端に相当する第１のＤｕｒａｔｉｏｎ情報と、当該送受信準備手順を経て前記データ送信元の通信局が送信するデータ・パケットに対して前記データ送信先の通信局から返信される第２の応答パケットの終端に相当する送信第２のＤｕｒａｔｉｏｎ情報を格納し、
前記データ送信元の通信局から送信された前記Ｄｕｒａｔｉｏｎ情報を含む準備パケットを受信した隣接局は、前記第１のＤｕｒａｔｉｏｎ情報に基づいて前記第１の応答パケットの受信完了予定時刻に関する第１のＮＡＶを設定するとともに、前記第２のＤｕｒａｔｉｏｎ情報に基づいて前記第２の応答パケットの受信完了予定時刻に関する第２のＮＡＶを設定するが、前記第１のＮＡＶを設定している期間又は前記第１の応答パケットの受信完了予定時刻を経過してから所定時間以内にパケットの送信を検出しなかったときには前記第２のＮＡＶを無視する、
ことを特徴とする無線通信システム。
【請求項２】
データ送信元及びデータ送信先となる通信局間で所定の送受信準備手順を経てデータ・パケットの送信が開始される無線通信システムであって、
前記データ送信元の通信局は、送受信準備手順のために送信する準備パケットのヘッダ部において、当該準備パケットに対して前記データ送信先の通信局から返信される第１の応答パケットの終端に相当する第１のＤｕｒａｔｉｏｎ情報と、当該送受信準備手順を経て前記データ送信元の通信局が送信するデータ・パケットに対して前記データ送信先の通信局から返信される第２の応答パケットの終端に相当する送信第２のＤｕｒａｔｉｏｎ情報を格納し、
前記データ送信元の通信局から送信された前記準備パケットを受信した隣接局は、前記第１のＤｕｒａｔｉｏｎ情報に基づいて前記第１の応答パケットの受信完了予定時刻に関する第１のＮＡＶを設定した後、前記第１の応答パケットの受信完了予定時刻を経過してから所定時間以内にパケットの送信を検出したことに応答して、前記第２のＤｕｒａｔｉｏｎ情報に基づいて前記第２の応答パケットの受信完了予定時刻に関する第２のＮＡＶを設定する、
ことを特徴とする無線通信システム。
【請求項３】
データ送信元及びデータ送信先となる通信局間で送受信準備手順を経てデータ・パケットの送信が開始されるとともに、前記データ送信元の通信局が送受信準備手順のために送信する準備パケットのヘッダ部において少なくとも２通りのＤｕｒａｔｉｏｎ情報が格納される無線ネットワークにおいて動作する無線通信装置であって、
パケットを送信処理する手段と、パケットを受信処理する手段と、パケットの送受信処理を制御する通信制御手段を備え、
前記データ送信元の通信局が、送受信準備手順のために送信する準備パケットのヘッダ部において、当該準備パケットに対して前記データ送信先の通信局から返信される第１の応答パケットの終端に相当する第１のＤｕｒａｔｉｏｎ情報と、当該送受信準備手順を経て前記データ送信元の通信局が送信するデータ・パケットに対して前記データ送信先の通信局から返信される第２の応答パケットの終端に相当する送信第２のＤｕｒａｔｉｏｎ情報を格納する場合において、
前記データ送信元の通信局からデータ送信先となる他の通信局宛てに送信された前記準備パケットを受信したときに、前記通信制御手段は、前記第１のＤｕｒａｔｉｏｎ情報に基づいて前記第１の応答パケットの受信完了予定時刻に関する第１のＮＡＶを設定するとともに、前記第２のＤｕｒａｔｉｏｎ情報に基づいて前記第２の応答パケットの受信完了予定時刻に関する第２のＮＡＶを設定するが、前記第１のＮＡＶを設定している期間又は前記第１の応答パケットの受信完了予定時刻を経過してから所定時間以内にパケットの送信を検出しなかったときには前記第２のＮＡＶを無視する、
ことを特徴とする無線通信装置。
【請求項４】
データ送信元及びデータ送信先となる通信局間で送受信準備手順を経てデータ・パケットの送信が開始されるとともに、前記データ送信元の通信局が送受信準備手順のために送信する準備パケットのヘッダ部において少なくとも２通りのＤｕｒａｔｉｏｎ情報が格納される無線ネットワークにおいて動作する無線通信装置であって、
パケットを送信処理する手段と、パケットを受信処理する手段と、パケットの送受信処理を制御する通信制御手段を備え、
前記データ送信元の通信局が、送受信準備手順のために送信する準備パケットのヘッダ部において、当該準備パケットに対して前記データ送信先の通信局から返信される第１の応答パケットの終端に相当する第１のＤｕｒａｔｉｏｎ情報と、当該送受信準備手順を経て前記データ送信元の通信局が送信するデータ・パケットに対して前記データ送信先の通信局から返信される第２の応答パケットの終端に相当する送信第２のＤｕｒａｔｉｏｎ情報を格納する場合において、
前記データ送信元の通信局からデータ送信先となる他の通信局宛てに送信された前記準備パケットを受信したときに、前記通信制御手段は、前記第１のＤｕｒａｔｉｏｎ情報に基づいて前記第１の応答パケットの受信完了予定時刻に関する第１のＮＡＶを設定した後、前記第１の応答パケットの受信完了予定時刻を経過してから所定時間以内にパケットの送信を検出したことに応答して、前記第２のＤｕｒａｔｉｏｎ情報に基づいて前記第２の応答パケットの受信完了予定時刻に関する第２のＮＡＶを設定する、
ことを特徴とする無線通信装置。
【請求項５】
前記データ送信元及び前記データ送信先となる通信局間でＲＴＳ／ＣＴＳ送受信準備手順が適用されており、
前記データ送信元の通信局は、ＲＴＳパケットのヘッダ部において、前記データ送信先の通信局から返信されるＣＴＳパケットの終端に相当する第１のＤｕｒａｔｉｏｎ情報と、当該送受信準備手順を経て前記データ送信元の通信局が送信するデータ・パケットに対して前記データ送信先の通信局から返信されるＡＣＫの終端に相当する送信第２のＤｕｒａｔｉｏｎ情報を格納し、
前記ＲＴＳパケットを受信したときに、前記通信制御手段は、前記第１のＤｕｒａｔｉｏｎ情報に基づいて前記ＣＴＳパケットの受信完了予定時刻に関する第１のＮＡＶを設定するとともに、前記第２のＤｕｒａｔｉｏｎ情報に基づいて前記ＡＣＫパケットの受信完了予定時刻に関する第２のＮＡＶを設定するが、前記ＣＴＳパケットの受信完了予定時刻を経過してから所定時間以内にＤＡＴＡパケットの送信を検出しなかったときには前記第２のＮＡＶを無視する、
ことを特徴とする請求項３に記載の無線通信装置。
【請求項６】
前記データ送信元及び前記データ送信先となる通信局間でＲＴＳ／ＣＴＳ送受信準備手順が適用されており、
前記データ送信元の通信局は、ＲＴＳパケットのヘッダ部において、前記データ送信先の通信局から返信されるＣＴＳパケットの終端に相当する第１のＤｕｒａｔｉｏｎ情報と、当該送受信準備手順を経て前記データ送信元の通信局が送信するデータ・パケットに対して前記データ送信先の通信局から返信されるＡＣＫの終端に相当する送信第２のＤｕｒａｔｉｏｎ情報を格納し、
前記ＲＴＳパケットを受信したときに、前記通信制御手段は、前記第１のＤｕｒａｔｉｏｎ情報に基づいて前記ＣＴＳパケットの受信完了予定時刻に関する第１のＮＡＶを設定した後、前記ＣＴＳパケットの受信完了予定時刻を経過してから所定時間以内にパケットの送信を検出したことに応答して、前記第２のＤｕｒａｔｉｏｎ情報に基づいて前記ＡＣＫパケットの受信完了予定時刻に関する第２のＮＡＶを設定する、
ことを特徴とする請求項４に記載の無線通信装置。
【請求項７】
前記データ送信元及び前記データ送信先となる通信局間では小さいＤＡＴＡ／ＡＣＫで送受信準備手順が代用されており、
前記データ送信元の通信局は、前記の小さいデータ・パケットのヘッダ部において、前記データ送信先の通信局から返信される第１のＡＣＫパケットの終端に相当する第１のＤｕｒａｔｉｏｎ情報と、当該送受信準備手順を経て前記データ送信元の通信局が送信するデータ・パケットに対して前記データ送信先の通信局から返信される第２のＡＣＫパケットの終端に相当する送信第２のＤｕｒａｔｉｏｎ情報を格納し、
前記の小さなデータ・パケットを受信したときに、前記通信制御手段は、前記第１のＤｕｒａｔｉｏｎ情報に基づいて前記第１のＡＣＫパケットの受信完了予定時刻に関する第１のＮＡＶを設定するとともに、前記第２のＤｕｒａｔｉｏｎ情報に基づいて前記第２のＡＣＫパケットの受信完了予定時刻に関する第２のＮＡＶを設定するが、前記第１のＡＣＫパケットの受信完了予定時刻を経過してから所定時間以内にパケットの送信を検出しなかったときには前記第２のＮＡＶを無視する、
ことを特徴とする請求項３に記載の無線通信装置。
【請求項８】
前記データ送信元及び前記データ送信先となる通信局間では小さいＤＡＴＡ／ＡＣＫで送受信準備手順が代用されており、
前記データ送信元の通信局は、前記の小さいデータ・パケットのヘッダ部において、前記データ送信先の通信局から返信される第１のＡＣＫパケットの終端に相当する第１のＤｕｒａｔｉｏｎ情報と、当該送受信準備手順を経て前記データ送信元の通信局が送信するデータ・パケットに対して前記データ送信先の通信局から返信される第２のＡＣＫパケットの終端に相当する送信第２のＤｕｒａｔｉｏｎ情報を格納し、
前記の小さなデータ・パケットを受信したときに、前記通信制御手段は、前記第１のＤｕｒａｔｉｏｎ情報に基づいて前記第１のＡＣＫパケットの受信完了予定時刻に関する第１のＮＡＶを設定した後、前記第１のＡＣＫパケットの受信完了予定時刻を経過してから所定時間以内にパケットの送信を検出したことに応答して、前記第２のＤｕｒａｔｉｏｎ情報に基づいて前記第２のＡＣＫパケットの受信完了予定時刻に関する第２のＮＡＶを設定する、
ことを特徴とする請求項４に記載の無線通信装置。
【請求項９】
前記データ送信元及び前記データ送信先となる通信局間でＢｌｏｃｋＡｃｋＲｅｑｕｅｓｔ／ＢｌｏｃｋＡＣＫ送受信準備手順が適用されており、
前記データ送信元の通信局は、ＢｌｏｃｋＡｃｋＲｅｑｕｅｓｔパケットのヘッダ部において、前記データ送信先の通信局から返信されるＢｌｏｃｋＡＣＫパケットの終端に相当する第１のＤｕｒａｔｉｏｎ情報と、当該送受信準備手順を経て前記データ送信元の通信局が送信するデータ・パケットに対して前記データ送信先の通信局から返信されるＡＣＫの終端に相当する送信第２のＤｕｒａｔｉｏｎ情報を格納し、
前記ＢｌｏｃｋＡｃｋＲｅｑｕｅｓｔパケットを受信したときに、前記通信制御手段は、前記通信制御手段は、前記第１のＤｕｒａｔｉｏｎ情報に基づいて前記ＢｌｏｃｋＡＣＫパケットの受信完了予定時刻に関する第１のＮＡＶを設定するとともに、前記第２のＤｕｒａｔｉｏｎ情報に基づいて前記ＡＣＫパケットの受信完了予定時刻に関する第２のＮＡＶを設定するが、前記ＢｌｏｃｋＡＣＫパケットの受信完了予定時刻を経過してから所定時間以内にパケットの送信を検出しなかったときには前記第２のＮＡＶを無視する、
ことを特徴とする請求項３に記載の無線通信装置。
【請求項１０】
前記データ送信元及び前記データ送信先となる通信局間でＢｌｏｃｋＡｃｋＲｅｑｕｅｓｔ／ＢｌｏｃｋＡＣＫ送受信準備手順が適用されており、
前記データ送信元の通信局は、ＢｌｏｃｋＡｃｋＲｅｑｕｅｓｔパケットのヘッダ部において、前記データ送信先の通信局から返信されるＢｌｏｃｋＡＣＫパケットの終端に相当する第１のＤｕｒａｔｉｏｎ情報と、当該送受信準備手順を経て前記データ送信元の通信局が送信するデータ・パケットに対して前記データ送信先の通信局から返信されるＡＣＫの終端に相当する送信第２のＤｕｒａｔｉｏｎ情報を格納し、
前記ＢｌｏｃｋＡｃｋＲｅｑｕｅｓｔパケットを受信したときに、前記第１のＤｕｒａｔｉｏｎ情報に基づいて前記ＢｌｏｃｋＡＣＫパケットの受信完了予定時刻に関する第１のＮＡＶを設定した後、前記ＢｌｏｃｋＡＣＫパケットの受信完了予定時刻を経過してから所定時間以内にパケットの送信を検出したことに応答して、前記第２のＤｕｒａｔｉｏｎ情報に基づいて前記ＡＣＫパケットの受信完了予定時刻に関する第２のＮＡＶを設定する、
ことを特徴とする請求項４に記載の無線通信装置。
【請求項１１】
前記データ送信元の通信局が送信するデータ・パケット、及び当該データ・パケットに対して返信される第２の応答パケットは、１回又は複数回送信される、
ことを特徴とする請求項３又は４のいずれかに記載の無線通信装置。
【請求項１２】
データ送信元及びデータ送信先となる通信局間で送受信準備手順を経てデータ・パケットの送信が開始されるとともに、前記データ送信元の通信局が送受信準備手順のために送信する準備パケットのヘッダ部において少なくとも２通りのＤｕｒａｔｉｏｎ情報が格納される無線ネットワークにおける無線通信方法であって、
前記データ送信元の通信局が、送受信準備手順のために送信する準備パケットのヘッダ部において、当該準備パケットに対して前記データ送信先の通信局から返信される第１の応答パケットの終端に相当する第１のＤｕｒａｔｉｏｎ情報と、当該送受信準備手順を経て前記データ送信元の通信局が送信するデータ・パケットに対して前記データ送信先の通信局から返信される第２の応答パケットの終端に相当する送信第２のＤｕｒａｔｉｏｎ情報を格納する場合において、前記データ送信元の通信局からデータ送信先となる他の通信局宛てに送信された前記準備パケットを受信したときに、
前記第１のＤｕｒａｔｉｏｎ情報に基づいて前記第１の応答パケットの受信完了予定時刻に関する第１のＮＡＶを設定するステップと、
前記第２のＤｕｒａｔｉｏｎ情報に基づいて前記第２の応答パケットの受信完了予定時刻に関する第２のＮＡＶを設定するステップと、
前記第１のＮＡＶを設定している期間又は前記第１の応答パケットの受信完了予定時刻を経過してから所定時間以内にパケットの送信を検出しなかったときには前記第２のＮＡＶを無視するステップと、
を有することを特徴とする無線通信方法。
【請求項１３】
データ送信元及びデータ送信先となる通信局間で送受信準備手順を経てデータ・パケットの送信が開始されるとともに、前記データ送信元の通信局が送受信準備手順のために送信する準備パケットのヘッダ部において少なくとも２通りのＤｕｒａｔｉｏｎ情報が格納される無線ネットワークにおける無線通信方法であって、
前記データ送信元の通信局が、送受信準備手順のために送信する準備パケットのヘッダ部において、当該準備パケットに対して前記データ送信先の通信局から返信される第１の応答パケットの終端に相当する第１のＤｕｒａｔｉｏｎ情報と、当該送受信準備手順を経て前記データ送信元の通信局が送信するデータ・パケットに対して前記データ送信先の通信局から返信される第２の応答パケットの終端に相当する送信第２のＤｕｒａｔｉｏｎ情報を格納する場合において、前記データ送信元の通信局からデータ送信先となる他の通信局宛てに送信された前記準備パケットを受信したときに、
前記第１のＤｕｒａｔｉｏｎ情報に基づいて前記第１の応答パケットの受信完了予定時刻に関する第１のＮＡＶを設定する第１のＮＡＶ設定ステップと、
第１のＮＡＶを設定した後、前記第１の応答パケットの受信完了予定時刻を経過してから所定時間以内にパケットの送信を検出するパケット検出ステップと、
前記パケット検出ステップにおいてパケットの送信を検出したことに応答して、前記第２のＤｕｒａｔｉｏｎ情報に基づいて前記第２の応答パケットの受信完了予定時刻に関する第２のＮＡＶを設定する第２のＮＡＶ設定ステップと、
を有することを特徴とする無線通信方法。
【請求項１４】
データ送信元及びデータ送信先となる通信局間で送受信準備手順を経てデータ・パケットの送信が開始されるとともに、前記データ送信元の通信局が送受信準備手順のために送信する準備パケットのヘッダ部において少なくとも２通りのＤｕｒａｔｉｏｎ情報が格納される無線ネットワークにおいて無線通信を行なうための処理をコンピュータ上で実行するようにコンピュータ可読形式で記述されたコンピュータ・プログラムであって、
前記データ送信元の通信局が、送受信準備手順のために送信する準備パケットのヘッダ部において、当該準備パケットに対して前記データ送信先の通信局から返信される第１の応答パケットの終端に相当する第１のＤｕｒａｔｉｏｎ情報と、当該送受信準備手順を経て前記データ送信元の通信局が送信するデータ・パケットに対して前記データ送信先の通信局から返信される第２の応答パケットの終端に相当する送信第２のＤｕｒａｔｉｏｎ情報を格納する場合において、前記データ送信元の通信局からデータ送信先となる他の通信局宛てに送信された前記準備パケットを受信したときに、前記コンピュータに対し、
前記第１のＤｕｒａｔｉｏｎ情報に基づいて前記第１の応答パケットの受信完了予定時刻に関する第１のＮＡＶを設定する手順と、
前記第２のＤｕｒａｔｉｏｎ情報に基づいて前記第２の応答パケットの受信完了予定時刻に関する第２のＮＡＶを設定する手順と、
前記第１のＮＡＶを設定している期間又は前記第１の応答パケットの受信完了予定時刻を経過してから所定時間以内にパケットの送信を検出しなかったときには前記第２のＮＡＶを無視する手順と、
を実行させることを特徴とするコンピュータ・プログラム。
【請求項１５】
データ送信元及びデータ送信先となる通信局間で送受信準備手順を経てデータ・パケットの送信が開始されるとともに、前記データ送信元の通信局が送受信準備手順のために送信する準備パケットのヘッダ部において少なくとも２通りのＤｕｒａｔｉｏｎ情報が格納される無線ネットワークにおいて無線通信を行なうための処理をコンピュータ上で実行するようにコンピュータ可読形式で記述されたコンピュータ・プログラムであって、
前記データ送信元の通信局が、送受信準備手順のために送信する準備パケットのヘッダ部において、当該準備パケットに対して前記データ送信先の通信局から返信される第１の応答パケットの終端に相当する第１のＤｕｒａｔｉｏｎ情報と、当該送受信準備手順を経て前記データ送信元の通信局が送信するデータ・パケットに対して前記データ送信先の通信局から返信される第２の応答パケットの終端に相当する送信第２のＤｕｒａｔｉｏｎ情報を格納する場合において、前記データ送信元の通信局からデータ送信先となる他の通信局宛てに送信された前記準備パケットを受信したときに、前記コンピュータに対し、
前記第１のＤｕｒａｔｉｏｎ情報に基づいて前記第１の応答パケットの受信完了予定時刻に関する第１のＮＡＶを設定する第１のＮＡＶ設定手順と、
第１のＮＡＶを設定した後、前記第１の応答パケットの受信完了予定時刻を経過してから所定時間以内にパケットの送信を検出するパケット検出手順と、
前記パケット検出手順を実行することによりパケットの送信を検出したことに応答して、前記第２のＤｕｒａｔｉｏｎ情報に基づいて前記第２の応答パケットの受信完了予定時刻に関する第２のＮＡＶを設定する第２のＮＡＶ設定手順と、
を実行させることを特徴とするコンピュータ・プログラム。